(57)【要約】【課題】ロードチェーンの移動を直接計測しながら吊り荷を巻上・巻下できる電動チェーンブロック、駆動計測器並びにこれらを用いたシステムを提供することを目的とする。【解決手段】吊り荷を吊る吊りフック４が装着されたロードチェーン３と、ロードチェーン３を駆動するロードシーブ５とが備えられ、ロードシーブ５の駆動によってロードチェーン３が移動して吊り荷を巻上・巻下する電動チェーンブロック１に、少なくともロードシーブ５が収容されたチェーンブロック本体２と、チェーンブロック本体２から伸びるロードチェーン３を収容するチェーン収容部６と、ロードチェーン３と噛合するとともに、ロードチェーン３の移動に伴って回転するチェーンホイール１１、及びチェーンホイール１１の回転を計測するロータリーエンコーダ１２とで構成された駆動計測器１０とを設け、チェーンブロック本体２とチェーン収容部６との間に配置した。【選択図】図１
2020001876.tif 000002
【特許請求の範囲】
【請求項１】
吊り荷を吊る吊りフックが装着されたロードチェーンと、前記ロードチェーンを駆動する駆動部とが備えられ、前記駆動部の駆動によって前記ロードチェーンが移動して前記吊り荷を巻上・巻下する電動チェーンブロックであって、
少なくとも前記駆動部が収容されたチェーンブロック本体と、
該チェーンブロック本体から伸びる前記ロードチェーンを収容するチェーン収容部と、
前記ロードチェーンと噛合するとともに、前記ロードチェーンの移動に伴って回転する回転体、及び該回転体の回転を計測する回転計測手段とで構成された駆動計測器とが設けられ、
該駆動計測器が、前記チェーンブロック本体と前記チェーン収容部との間に配置された
電動チェーンブロック。
【請求項２】
前記チェーンブロック本体と前記チェーン収容部との間において、前記駆動計測器が着脱自在に構成された
請求項１に記載の電動チェーンブロック。
【請求項３】
前記回転計測手段が、前記回転体の回転軸に取り付けられたロータリーエンコーダで構成され、前記ロードチェーンの移動量を検出する
請求項１または２に記載の電動チェーンブロック。
【請求項４】
吊り荷を吊る吊りフックが装着されたロードチェーンと、前記ロードチェーンを駆動する駆動部とが備えられ、前記駆動部の駆動によって前記ロードチェーンが移動して前記吊り荷を巻上・巻下する電動チェーンブロックが複数備えられたチェーンブロックシステムであって、
前記電動チェーンブロックは、
少なくとも前記駆動部が収容されたチェーンブロック本体と、
前記ロードチェーンと噛合するとともに、前記ロードチェーンの移動に伴って回転する回転体、及び該回転体の回転を計測する回転計測手段とで構成された駆動計測器とが設けられ、
前記電動チェーンブロックに装着された前記駆動計測器に接続され、前記電動チェーンブロックの前記ロードチェーンの差動を検出する差動検出手段が備えられた
チェーンブロックシステム。
【請求項５】
前記電動チェーンブロックには、
前記チェーンブロック本体から伸びる前記ロードチェーンを収容するチェーン収容部が設けられ、
前記駆動計測器が、前記チェーンブロック本体と前記チェーン収容部との間に配置された
請求項４に記載のチェーンブロックシステム。
【請求項６】
複数の前記電動チェーンブロックのうちいずれかを基準電動チェーンブロックとし、
前記差動検出手段は前記基準電動チェーンブロックと、他の電動チェーンブロックとの差動を検出する構成である
請求項４または５に記載のチェーンブロックシステム。
【請求項７】
前記電動チェーンブロックの前記駆動部を制御する制御部が備えられ、
前記制御部は、前記差動検出手段が予め設定した差動量を超える前記差動を検出する場合、前記駆動部を制御して前記基準電動チェーンブロックと前記他の電動チェーンブロックとの駆動を同調させる
請求項６に記載のチェーンブロックシステム。
【請求項８】
吊り荷を吊る吊りフックが装着されたロードチェーンと、前記ロードチェーンを駆動する駆動部とが備えられ、前記駆動部の駆動によって前記ロードチェーンが移動して前記吊り荷を巻き上げ下げする電動チェーンブロックにおける少なくとも前記駆動部が収容されたチェーンブロック本体と、該チェーンブロック本体から伸びる前記ロードチェーンを収容するチェーン収容部との間に装着可能に構成され、
前記ロードチェーンと噛合するとともに、前記ロードチェーンの移動に伴って回転する回転体、及び該回転体の回転を計測する回転計測手段とで構成された
駆動計測器。
【請求項９】
請求項８に記載された複数の前記駆動計測器と、
複数の前記駆動計測器に接続され、前記電動チェーンブロックの前記ロードチェーンの差動を検出する差動検出手段とが備えられた
差動検出システム。
【発明の詳細な説明】
【技術分野】
【０００１】
本発明は、吊りフックが装着されたロードチェーンを駆動させて吊り荷を巻上・巻下する電動チェーンブロック、駆動計測器並びにこれらを用いたシステムに関する。
【背景技術】
【０００２】
従来より、工事用仮設設備等では、吊り荷を直接吊り上げたり、簡易リフトとして架台を吊り下げたりするため、設置性や取り扱い性の高い電動チェーンブロックが多用されている。
【０００３】
例えば、大型の吊り荷を揚重する際、設置環境の制約により大型の電動チェーンブロックが設置できなかったり、吊り荷の変形防止のために複数台の電動チェーンブロックを用いて揚重する場合がある。このような場合、各電動チェーンブロックの操作者が合図により一斉操作を行うか、操作スイッチを統合して同時に動作させることが一般的であるが、操作タイミングのズレや、いずれかの電動チェーンブロックに動作不良が生じると、吊り荷の姿勢変化や偏荷重による破損、搬器の転位による落下の危険が生じる。
【０００４】
そのため、吊り荷の移動量を正確に把握することが重要となり、例えば、特許文献１で提案された電動チェーンブロックのように、電動チェーンブロック本体の保守のためのデータ取得を目的として、ロータリーエンコーダ等を用いて駆動量を計測することはあるものの、あくまでも駆動量を計測しているだけであって、ロードチェーンの移動量、つまり吊り荷の移動量を正確に把握することはできなかった。
【先行技術文献】
【特許文献】
【０００５】
【特許文献１】特開２０１３−１０６３４号公報
【発明の概要】
【発明が解決しようとする課題】
【０００６】
そこで本発明では、ロードチェーンの移動を計測しながら吊り荷を巻上・巻下することができる電動チェーンブロック、駆動計測器並びにこれらを用いたシステムを提供することを目的とする。
【課題を解決するための手段】
【０００７】
この発明は、吊り荷を吊る吊りフックが装着されたロードチェーンと、前記ロードチェーンを駆動する駆動部とが備えられ、前記駆動部の駆動によって前記ロードチェーンが移動して前記吊り荷を巻上・巻下する電動チェーンブロックであって、少なくとも前記駆動部が収容されたチェーンブロック本体と、該チェーンブロック本体から伸びる前記ロードチェーンを収容するチェーン収容部と、前記ロードチェーンと噛合するとともに、前記ロードチェーンの移動に伴って回転する回転体、及び該回転体の回転を計測する回転計測手段とで構成された駆動計測器とが設けられ、該駆動計測器が、前記チェーンブロック本体と前記チェーン収容部との間に配置されたことを特徴とする。
【０００８】
またこの発明は、吊り荷を吊る吊りフックが装着されたロードチェーンと、前記ロードチェーンを駆動する駆動部とが備えられ、前記駆動部の駆動によって前記ロードチェーンが移動して前記吊り荷を巻き上げ下げする電動チェーンブロックにおける少なくとも前記駆動部が収容されたチェーンブロック本体と、該チェーンブロック本体から伸びる前記ロードチェーンを収容するチェーン収容部との間に装着可能に構成され、前記ロードチェーンと噛合するとともに、前記ロードチェーンの移動に伴って回転する回転体、及び該回転体の回転を計測する回転計測手段とで構成され、駆動計測器であることを特徴とする。
【０００９】
この発明により、ロードチェーンの移動を計測しながら吊り荷を巻上・巻下することができる。  
詳述すると、電動チェーンブロックに装着された該駆動計測器が、前記ロードチェーンと噛合するとともに、前記ロードチェーンの移動に伴って回転する回転体、及び該回転体の回転を計測する回転計測手段とで構成されているため、移動するロードチェーンによる前記吊り荷の巻上・巻下を計測することができる。したがって、前記吊り荷の移動を正確に把握しながら巻上・巻下することができる。
【００１０】
また、前記駆動計測器が、少なくとも前記駆動部が収容されたチェーンブロック本体と、該チェーンブロック本体から伸びる前記ロードチェーンを収容するチェーン収容部との間に配置されたことにより、例えば、チェーンブロック本体と吊りフックとの間に前記駆動計測器を配置する場合のように、吊り荷の巻上げに前記駆動計測器が支障し、巻き上げ量が低下するようなことがなく、正確にロードチェーンの移動を計測することができる。  
なお、上述の前記回転体の回転を計測する回転計測手段は、回転体の回転数、回転速度、及び回転加速度のうち少なくともひとつを検出するように構成してもよい。
【００１１】
この発明の態様として、前記チェーンブロック本体と前記チェーン収容部との間において、前記駆動計測器が着脱自在に構成されてもよい。  
この発明により、ロードチェーンの計測が不要な場合は前記駆動計測器を取り外しておき、ロードチェーンの計測を要する場合に前記駆動計測器を装着するなど、所望の態様で前記駆動計測器を利用することができる。また、前記駆動計測器が装着されていない電動チェーンブロックに対して後付けで前記駆動計測器を装着することができる。
【００１２】
またこの発明の態様として、前記回転計測手段が、前記回転体の回転軸に取り付けられたロータリーエンコーダで構成され、前記ロードチェーンの移動量を検出してもよい。  
この発明により、前記回転体の回転を正確に計測することができる。
【００１３】
またこの発明は、吊り荷を吊る吊りフックが装着されたロードチェーンと、前記ロードチェーンを駆動する駆動部とが備えられ、前記駆動部の駆動によって前記ロードチェーンが移動して前記吊り荷を巻上・巻下する電動チェーンブロックが複数備えられたチェーンブロックシステムであって、前記電動チェーンブロックは、少なくとも前記駆動部が収容されたチェーンブロック本体と、前記ロードチェーンと噛合するとともに、前記ロードチェーンの移動に伴って回転する回転体、及び該回転体の回転を計測する回転計測手段とで構成された駆動計測器とが設けられ、前記電動チェーンブロックに装着された前記駆動計測器に接続され、前記電動チェーンブロックの前記ロードチェーンの差動を検出する差動検出手段が備えられたことを特徴とする。
【００１４】
この発明により、複数台の電動チェーンブロックの差動を検出することができる。  
詳述すると、複数の前記電動チェーンブロックのそれぞれに装着された複数台の前記駆動計測器に前記差動検出手段が接続されているため、差動検出手段は駆動計測器の計測結果に基づいて、複数の電動チェーンブロックにおける前記ロードチェーンの差動を検出することができる。
【００１５】
またこの発明の態様として、前記電動チェーンブロックには、前記チェーンブロック本体から伸びる前記ロードチェーンを収容するチェーン収容部が設けられ、前記駆動計測器が、前記チェーンブロック本体と前記チェーン収容部との間に配置されてもよい。
【００１６】
また、前記駆動計測器が、少なくとも前記駆動部が収容されたチェーンブロック本体と、該チェーンブロック本体から伸びる前記ロードチェーンを収容するチェーン収容部との間に配置されたことにより、例えば、チェーンブロック本体と吊りフックとの間に前記駆動計測器を配置する場合のように、吊り荷の巻上げに前記駆動計測器が支障し、巻き上げ量が低下するようなことがなく、正確にロードチェーンの移動を計測することができる。
【００１７】
またこの発明の態様として、複数の前記電動チェーンブロックのうちいずれかを基準電動チェーンブロックとし、前記差動検出手段は前記基準電動チェーンブロックと、他の電動チェーンブロックとの差動を検出する構成であってもよい。
【００１８】
この発明により、差動を検出する基準を明確に設定できるため、つまりロードチェーンの駆動の比較対象を設定できるため、仮に３台以上の電動チェーンブロックを設けた場合であっても容易に差動を検出することができる。
【００１９】
またこの発明の態様として、前記電動チェーンブロックの前記駆動部を制御する制御部が備えられ、前記制御部は、前記差動検出手段が予め設定した差動量を超える前記差動を検出する場合、前記駆動部を制御して前記基準電動チェーンブロックと前記他の電動チェーンブロックとの駆動を同調させてもよい。
【００２０】
この発明により、複数の電動チェーンブロックを同調させて、前記吊り荷を巻上・巻下することができる。  
詳述すると、前記電動チェーンブロックの前記駆動部を制御する制御部が、前前記差動検出手段が予め設定した差動量を超える前記差動を検出する場合、前記駆動部を制御して前記基準電動チェーンブロックと前記他の電動チェーンブロックとの駆動を同調させるため、例えば、基準電動チェーンブロックに対して移動が遅い電動チェーンブロックの移動速度を速める、あるいは基準電動チェーンブロックの移動を速度低下させるなど、複数の電動チェーンブロックを同調させて、前記吊り荷を巻上・巻下することができる。
【００２１】
なお、上記差動量は、移動量、移動速度、及び移動加速度のうち少なくとも一つの差であり、上述の予め設定した差動量は、複数段階の差動量を設定してもよいし、ひとつの設定値であってもよい。また、上述の前記駆動部を制御して前記基準電動チェーンブロックと前記他の電動チェーンブロックとの駆動を同調させるとは、前記基準電動チェーンブロックと他の電動チェーンブロックとのうち少なくとも一方の移動を調整して同調させたり、一方を停止させて同調させたりしてもよい。さらに、差動量について複数の設定値を設定し、初期は移動を調整し、その後の設定値で停止するように構成してもよい。また、電動チェーンブロックの駆動を停止して同調する場合は、一方を停止してもよいし、すべてを停止するように構成してもよい。
【００２２】
さらにまた、この発明は、複数の上述の駆動計測器と、複数の前記駆動計測器に接続され、前記電動チェーンブロックの前記ロードチェーンの差動を検出する差動検出手段とが備えられた差動検出システムであることを特徴とする。
【００２３】
この発明により、複数台の電動チェーンブロックの差動を検出することができる。  
詳述すると、複数の前記電動チェーンブロックのそれぞれに装着された複数台の前記駆動計測器に前記差動検出手段が接続されているため、差動検出手段は駆動計測器の計測結果に基づいて、複数の電動チェーンブロックにおける前記ロードチェーンの差動を検出することができる。
【発明の効果】
【００２４】
本発明により、ロードチェーンの移動を計測しながら吊り荷を巻上・巻下することができる電動チェーンブロック、駆動計測器並びにこれらを用いたシステムを提供することができる。
【図面の簡単な説明】
【００２５】
【図１】電動チェーンブロックの概略正面断面図。
【図２】電動チェーンブロックの左側面図。
【図３】駆動計測器の説明図。
【図４】電動チェーンブロックの説明図。
【図５】チェーンブロックシステムの概略構成ブロック図。
【図６】同調動作についての概要図。
【図７】動作異常判定フロー図。
【発明を実施するための形態】
【００２６】
電動チェーンブロック１、駆動計測器１０並びにこれらを用いたチェーンブロックシステム１００の一実施形態を以下図面とともに説明する。  
図１は電動チェーンブロック１の概略正面断面図を示し、図２は電動チェーンブロック１の左側面図を示し、図３は駆動計測器１０の説明図を示し、図４は電動チェーンブロック１の説明図を示している。
【００２７】
詳しくは、図３（ａ）は図１に示すａ−ａ矢視断面図を示し、図３（ｂ）は駆動計測器１０の左側面図を示し、図４（ａ）は駆動計測器１０を備えていない電動チェーンブロック１ａの正面図を示し、図４（ｂ）は電動チェーンブロック１の正面図を示している。  
また、図５はチェーンブロックシステム１００の概略構成図を示し、図６は同調動作についての概要図を示し、図７は動作異常判定フロー図を示している。
【００２８】
電動チェーンブロック１は、吊り荷（図示省略）を吊る吊りフック４が装着されたロードチェーン３を駆動する駆動部として機能するロードシーブ５を内部に備えたチェーンブロック本体２と、ロードシーブ５の回転駆動によって移動して吊り荷を巻上・巻下するロードチェーン３を収容するチェーン収容部６と、ロードチェーン３の移動を計測する駆動計測器１０とで構成している。
【００２９】
なお、チェーンブロック本体２は一般的な電動チェーンブロックと同じ構成であり、詳細な説明や図示を省略するが、チェーンブロック本体２は、内部に回転駆動するロードシーブ５を備え、上部にチェーンブロック本体２を所望の場所に設置する設置フック７を備えている。
【００３０】
また、チェーンブロック本体２は、図示省略する本体操作部が有線または無線で接続され、本体操作部の操作によってロードシーブ５の駆動を制御する本体制御部（図示省略）と、本体制御部に制御され、ロードシーブ５を回転駆動する電動モータ（図示省略）を内蔵している。
【００３１】
ロードチェーン３は、一端がチェーンブロック本体２の内部に固定され、チェーンブロック本体２の下方に向かって一旦延出し、チェーンブロック本体２の下方に配置された吊りフック４に内蔵された回転歯車に噛合するとともに、曲げ返され、再度チェーンブロック本体２の内部に挿入される。
【００３２】
このようにして再度内部に挿入されたロードチェーン３は、チェーンブロック本体２の内部でロードシーブ５と噛合したうえで、チェーンブロック本体２の外部に導出される。チェーンブロック本体２の内部でロードシーブ５に噛合したうえで外部に導出されたロードチェーン３の他端側は、後述する駆動計測器１０を通り、チェーン収容部６に収容される。
【００３３】
駆動計測器１０は、チェーンブロック本体２とチェーン収容部６との間に配置され、内部から導出され、チェーン収容部６に向かって延出するロードチェーン３と噛合するとともに、ロードチェーン３の移動に伴って回転するチェーンホイール１１と、チェーンホイール１１の回転を計測するロータリーエンコーダ１２と、チェーンホイール１１とでロードチェーン３を挟み込んで、チェーンホイール１１とロードチェーン３とを噛合させるチェーンガイド１３と、チェーンホイール１１とチェーンガイド１３とを内部で軸支する筐体１４とで主要構成されている。
【００３４】
詳しくは、ロードシーブ５に噛合し、チェーンブロック本体２の外部に導出され、チェーンブロック本体２から略鉛直方向下向きに延出するロードチェーン３に対して、ロードシーブ５とは反対側に配置されたチェーンガイド１３の下方にチェーンホイール１１が配置され、それぞれが筐体１４を貫通する回転軸１５（１５ａ，１５ｂ）で軸支される。
【００３５】
チェーンホイール１１は、図３（ａ）に示すように、長楕円状の金属環を連ねて構成されたロードチェーン３が噛合するため、ロードチェーン３の横幅と厚みに対応する幅及び深さの嵌合溝１１ａの中央に、ロードチェーン３の横幅と厚みに対応する深さ及び幅の中央溝１１ｂが外周に形成されたホイール体である。なお、このように構成したチェーンホイール１１は、ロードシーブ５と同様の形状となる。
【００３６】
チェーンガイド１３は、チェーンホイール１１の嵌合溝１１ａに嵌り込んだロードチェーン３が外れることを防止するナイロン製のホイール体であり、外周面の中央に、中央溝１１ｂに嵌り込んだロードチェーン３の反対側が嵌り込む中央溝１３ａが形成されている。
【００３７】
このように構成されたチェーンガイド１３は、チェーンホイール１１の嵌合溝１１ａにロードチェーン３が嵌り込んだ際にロードチェーン３とわずかなクリアランスを設けられ、中央溝１１ｂにロードチェーン３が嵌り込んだ際に中央溝１３ａに嵌り込むように位置に配置されている。
【００３８】
このように構成されたチェーンホイール１１及びチェーンガイド１３は、筐体１４から回転軸１５（１５ａ，１５ｂ）によって回転自在に軸支され、上下方向から挟み込むように配置したロードチェーン３の移動によって回転するように構成されている。
【００３９】
また、チェーンホイール１１を軸支する回転軸１５ａは、チェーンホイール１１とともに回転するよう構成されるとともに、筐体１４を貫通し、筐体１４の外部に配置したロータリーエンコーダ１２までのびている。そのため、回転軸１５ａの回転として、チェーンホイール１１の回転をロータリーエンコーダ１２で計測することができる。
【００４０】
このように構成された駆動計測器１０は、図３に示すように、ユニット化されており、ロードチェーン３が延出するチェーンブロック本体２に対して筐体１４を取付け、筐体１４の反対側にチェーン収容部６を取り付けることでチェーンブロック本体２とチェーン収容部６との間に配置される。
【００４１】
また、このようにユニット化された駆動計測器１０は、図４（ｂ）に示すような、チェーンブロック本体２とチェーン収容部６とで構成する、駆動計測器１０を備えていない電動チェーンブロック１ａに対し、チェーンブロック本体２に取り付けられたチェーン収容部６を一旦取り外し、その固定ボルトと、本体側のチェーン収容部６の取付座を利用して、上述の組み付けることでいわゆるアタッチメントとして装着することもできる。
【００４２】
なお、同一型式の電動チェーンブロック１あるいはロードチェーン３の規格、取付構造及び寸法が一致すれば容易に付替えが可能であることから、故障やメンテナンスによるチェーンブロック本体２の入替えにも容易に対応することができる。
【００４３】
このように、駆動計測器１０が装着された電動チェーンブロック１や、電動チェーンブロック１ａに後付けで駆動計測器１０を組み付けた電動チェーンブロック１は、図示省略する本体操作部を操作し、本体操作部が接続された本体制御部の制御によって図示省略する電動モータが駆動し、ロードシーブ５が回転駆動する。
【００４４】
このロードシーブ５の回転駆動によってロードチェーン３は、巻上時には吊りフック４の側からチェーン収容部６の側に移動し、チェーン収容部６の内部に貯留される。ロードチェーン３は、巻下時にはチェーン収容部６の内部から吊りフック４の側に移動する。
【００４５】
このロードチェーン３の送り動作（移動）を、チェーンブロック本体２とチェーン収容部６の間に取り付けた駆動計測器１０によってその向きと移動量に従った電気信号に変換して出力するため、例えば、ロータリーエンコーダ１２からの信号をパルスカウンタ等により数値化する計数器を用いることで正確にロードチェーン３の移動量を把握することができる。
【００４６】
続いて電動チェーンブロック１を複数台用いて同調させるチェーンブロックシステム１００について説明する。  
通常、大型の吊り荷を揚重する際、設置環境の制約により大型の電動チェーンブロック１ａが設置できない場合や、吊り荷の変形を防ぐという理由で複数台の電動チェーンブロック１ａを連動させて使用する場合がある。例えば、工事用仮設備とし、吊り荷を直接吊り上げるか、搬器を吊り下げて簡易リフトとして使用されることが多いが、取扱いの容易さの点から電動チェーンブロック１ａを用いることが多い。
【００４７】
一般的に、これらの操作は各電動チェーンブロック１ａの操作者が合図により一斉操作を行うか、操作スイッチを統合して同時に動作させることが一般的であるが、操作タイミングの不均一や、いずれかの電動チェーンブロック１ａに動作不良が生じると、吊り荷の姿勢変化や偏荷重による破損、搬器の転位による落下の危険が生じる。
【００４８】
詳しくは、電動チェーンブロック１ａの巻上・巻下速度が電源周波数に依存し変動が小さいことから、各動作量の計測・照合は省略されることが多く、動作量に差異が生じた場合は手動で個別に補正操作がおこなわれる。すべての電動チェーンブロック１ａが健全に作動すれば、前記の電動チェーンブロック１ａの動作特性により動作量に差は生じにくいが、操作系統、電源系統に断線・接触不良等がある場合には大きな動作量差（以下において、差動という）が生じ、操作者による異常の認識が遅れると、吊り荷の大きな傾斜や、搬器からの吊り荷の落下が発生する。
【００４９】
以下で説明するチェーンブロックシステム１００は、上述のような課題を解消するため、複数台の電動チェーンブロック１と、各電動チェーンブロック１の動作を制御する制御装置１１０とで構成されている。
【００５０】
制御装置１１０は、各電動チェーンブロック１に備えた本体制御部及び駆動計測器１０と接続され、駆動計測器１０によって検出されたロードチェーン３の移動量から、各電動チェーンブロック１の動作不良の判定及び複数台の電動チェーンブロック１の動作量を総括的に比較・調節する構成である。
【００５１】
そのため、制御装置１１０は、図５に示すように、ロータリーエンコーダ１２からの信号を数値化する計数器１１１、数値化された動作量（移動量）を比較判定する演算器１１２、計測間隔を決定するタイマ１１３、電動動作スイッチ運転状況や設定値を表示する表示部１１４、設定値および巻上・巻下・停止などの動作指示を入力する入力操作部１１５、並びにチェーンブロックシステム１００に備えた駆動計測器１０に対して制御情報を出力する出力部１１６で構成している。なお、ＳＳＤなどの不揮発性メモリやＨＤＤで構成し、各種要素を制御する制御プログラムや計測結果、あるいはログ等を記憶するような記憶部（図示省略）も備えている。
【００５２】
計数器１１１は、チェーンブロックシステム１００に設けられる駆動計測器１０の台数に応じて複数設けられるとともに、各ロータリーエンコーダ１２にそれぞれ接続され、ロータリーエンコーダ１２からの信号を受信して数値化するパルスカウンタ等で構成される。また、計数器１１１は、数値化した結果を演算器１１２に送信するように、演算器１１２に接続されている。
【００５３】
演算器１１２は、ＣＰＵ等で構成され、計数器１１１から受信した数値化された動作量を比較判定する比較器として機能するとともに、各種要素を制御するように構成されている。  
タイマ１１３は計測間隔を決定するように構成され、演算器１１２に接続されている。
【００５４】
表示部１１４は液晶ディスプレイやタッチパネルで構成されるとともに、演算器１１２に接続され、入力操作部１１５による動作スイッチの運転状況や設定値を表示するよう構成されている。
【００５５】
入力操作部１１５は、各種設定値の入力操作や、駆動計測器１０の巻上・巻下・停止などの動作指示を入力する操作部であり、キーボードやマウスなどの物理的な入力装置で構成してもよいし、表示部１１４を構成するタッチパネル等で構成してもよい。
【００５６】
出力部１１６は、演算器１１２に接続され、演算器１１２の制御に基づいて、制御情報を各駆動計測器１０に対して出力するよう構成され、電動チェーンブロック１の動作を総括する動作総括リレー１１７と、各駆動計測器１０の巻上げ・巻下げ駆動させるための駆動リレー１１８（１１８ａ，１１８ｂ）とで構成されている。
【００５７】
電動チェーンブロック１の動作を総括する動作総括リレー１１７は、演算器１１２に接続され、演算器１１２からの制御信号を直接受信する。  
駆動リレー１１８はそれぞれ、チェーンブロックシステム１００に設けられる駆動計測器１０の台数に応じて複数設けられるとともに、動作総括リレー１１７に接続されている。
【００５８】
また、チェーンブロックシステム１００に設けられる駆動計測器１０の台数に応じて複数設けられた駆動リレー１１８は、巻上げリレー１１８ａ及び巻下げリレー１１８ｂをワンセットとして各駆動計測器１０の本体制御部に接続され、各電動チェーンブロック１における本体操作部の代わりに、電動チェーンブロック１を操作する操作部として機能することとなる。
【００５９】
なお、上述のような構成要素を備えた制御装置１１０は、ＰＬＣ（プログラマブルコントローラ）やマイクロコンピュータ、タブレットコンピュータ、スマートフォン、タッチパネルディスプレイ等とソフトウェアとの組合せで実現することもできる。もちろん、インターネットなどのネットワークを介して外部のサーバ等を利用して実現してもよい。
【００６０】
なお、制御装置１１０は、計数器１１１、演算器１１２及び出力部１１６が設けられていれば、チェーンブロックシステム１００に設けた複数台の電動チェーンブロック１の差動を検出するとともに、同調制御でき、タイマ１１３、表示部１１４及び入力操作部１１５はそれぞれ、仕様等に応じて設ければよい。
【００６１】
つづいて、このように構成されたチェーンブロックシステム１００の動作について説明する。  
なお、複数台の電動チェーンブロック１のうち１台の電動チェーンブロック１を比較の基準とする基準電動チェーンブロック１ｘとする。また、以下の説明で、特に説明しなければ電動チェーンブロック１に基準電動チェーンブロック１ｘは含まれる。
【００６２】
まず、入力操作部１１５を用いて、複数台の電動チェーンブロック１を動作させる入力操作を行うと、演算器１１２の制御に基づいて、動作総括リレー１１７及び駆動リレー１１８を介して各駆動計測器１０の本体制御部が電動モータを駆動させ、ロードシーブ５の回転によってロードチェーン３は、巻上時には吊りフック４の側からチェーン収容部６の側へ送られチェーン収容部６の内部に貯留される。
【００６３】
逆に、巻下時にはチェーン収容部６の内部から吊りフック４の側に送られる。このようなロードチェーン３の送り動作を、チェーンブロック本体２とチェーン収容部６の間に取り付けた駆動計測器１０によってその向きと移動量に従った電気信号に変換する。
【００６４】
駆動計測器１０によってパルス等の電気信号に変換されたロードチェーン３の動作は、チェーンブロックシステム１００における計数器１１１にロータリーエンコーダ１２から送信され、チェーンブロックシステム１００において、電動チェーンブロック１毎に、チェーンブロック本体２から吊りフック４までの長さとして数値化され、演算器１１２に送信される。
【００６５】
計数器１１１より数値化され情報を受信した演算器１１２は、受信した数値と、入力操作部１１５を操作して予め入力された設定値を比較し、比較結果に基づいて出力部１１６を介して各電動チェーンブロック１の動作制御を行い，各電動チェーンブロック１が動作する。
【００６６】
このような動作制御において、複数台の電動チェーンブロック１の動作を同調させるため、図６に示すように、基準電動チェーンブロック１ｘの動作量を基準として他の電動チェーンブロック１の動作量を演算器１１２で比較する。
【００６７】
演算器１１２による比較結果において先行する他の電動チェーンブロック１毎の動作量と基準電動チェーンブロック１ｘの動作量との動作量差（差動量）が、予め設定した上限値（ΔＬｍａｘ）を超える差動が検出されると、差動量を超える電動チェーンブロック１の動作を一時停止させる。
【００６８】
そして、そのまま基準電動チェーンブロック１ｘは動作しているため、停止した電動チェーンブロック１と基準電動チェーンブロック１ｘとの差動量が下限値（ΔＬｍｉｎ）にまで回復することで、停止した電動チェーンブロック１の動作を再開させる。
【００６９】
逆に、差動量が下限値を下回り遅れすぎた電動チェーンブロック１が生じた場合、基準電動チェーンブロック１ｘの動作を一時停止させ、他のすべての電動チェーンブロック１の差動量が下限値を上回ることで、停止した基準電動チェーンブロック１ｘの動作を再開させる。
【００７０】
このように、複数台の電動チェーンブロック１と基準電動チェーンブロック１ｘとの動作を同調させることにより吊り荷の姿勢を変化させること無く、安定させたまま、均等に巻上・巻下することができる。
【００７１】
なお、チェーンブロックシステム１００において、電動チェーンブロック１の動作中にもかかわらず、ロータリーエンコーダ１２が計測する計測値が変化しない場合、操作系統、電源系統、駆動計測器１０のいずれかに異常が生じていることがわかる。
【００７２】
このようなチェーンブロックシステム１００の異常を検知するとともに、異常検知に基づく動作制御について説明する。  
チェーンブロックシステム１００の異常検知は、チェーンブロックシステム１００の異常検知及び停止制御のフロー図である図７に示すように、駆動リレー１１８がＯＮ制御されているにもかかわらず（ステップｓ１：Ｙｅｓ）、ロータリーエンコーダ１２からの計測結果を受信できず、あるいは計数器１１１で計数化できない等、演算器１１２が動作量の変化を検知できない場合（ステップｓ２：Ｙｅｓ）、タイマ１１３で動作量変化を検知できない時間を計測し、予め設定した判定時間ｔ（秒）を超えると（ステップｓ３：Ｙｅｓ）チェーンブロックシステム１００の動作異常と判定する。
【００７３】
当該判定は、各電動チェーンブロック１別に行われ、チェーンブロックシステム１００に設けられた基準電動チェーンブロック１ｘを含む電動チェーンブロック１のうちいずれか１台でも動作異常を検知した場合、その検知結果を表示部１１４に表示するとともに、動作総括リレー１１７をＯＦＦ制御して、すべて電動チェーンブロック１の動作を停止する（ステップｓ４参照）。これにより、チェーンブロックシステム１００は、いずれかの異常発生によってすべての電動チェーンブロック１の動作を停止することができる。
【００７４】
このように、吊り荷を吊る吊りフック４が装着されたロードチェーン３と、ロードチェーン３を駆動するロードシーブ５とが備えられ、ロードシーブ５の駆動によってロードチェーン３が移動して吊り荷を巻上・巻下する電動チェーンブロック１であって、少なくともロードシーブ５が収容されたチェーンブロック本体２と、チェーンブロック本体２から伸びるロードチェーン３を収容するチェーン収容部６と、ロードチェーン３と噛合するとともに、ロードチェーン３の移動に伴って回転するチェーンホイール１１、及びチェーンホイール１１の回転を計測するロータリーエンコーダ１２とで構成された駆動計測器１０とが設けられ、駆動計測器１０が、チェーンブロック本体２とチェーン収容部６との間に配置した電動チェーンブロック１、及び駆動計測器１０は、ロードチェーン３の移動を計測しながら吊り荷を巻上・巻下することができる。
【００７５】
詳述すると、電動チェーンブロック１に装着された駆動計測器１０が、ロードチェーン３と噛合するとともに、ロードチェーン３の移動に伴って回転するチェーンホイール１１、及びチェーンホイール１１の回転を計測するロータリーエンコーダ１２とで構成されているため、移動するロードチェーン３による吊り荷の巻上・巻下を計測することができる。したがって、吊り荷の移動を正確に把握しながら巻上・巻下することができる。
【００７６】
また、駆動計測器１０が、少なくともロードシーブ５が収容されたチェーンブロック本体２と、チェーンブロック本体２から伸びるロードチェーン３を収容するチェーン収容部６との間に配置されたことにより、例えば、チェーンブロック本体２と吊りフック４との間に駆動計測器１０を配置する場合のように、吊り荷の巻上げに駆動計測器１０が支障し、巻き上げ量が低下するようなことがなく、正確にロードチェーン３の移動を計測することができる。  
【００７７】
また、チェーンブロック本体２とチェーン収容部６との間において、駆動計測器１０が着脱自在に構成しているため、ロードチェーン３の計測が不要な場合は駆動計測器１０を取り外しておき、ロードチェーン３の計測を要する場合に駆動計測器１０を装着するなど、所望の態様で駆動計測器１０を利用することができる。また、駆動計測器１０が装着されていない電動チェーンブロック１ａに対して後付けで駆動計測器１０を容易に装着することができる。
【００７８】
また、ロータリーエンコーダ１２が、チェーンホイール１１の回転軸に取り付けられたロータリーエンコーダで構成され、ロードチェーン３の移動量を検出しているため、チェーンホイール１１の動作を正確に計測することができる。
【００７９】
このように、電動チェーンブロック１ａに駆動計測器１０を取り付けたり、駆動計測器１０が装着された電動チェーンブロック１を用いることにより、電動チェーンブロック１の動作量を数値化できるため、自動制御が可能になる。  
さらに、動作（巻上・巻下）指令信号に対して応答が無いなど、異常の検出も可能で、即座に自動停止・警告を発することができるので安全性の向上を期待することができる。
【００８０】
また、駆動計測器１０はチェーンブロック本体２やチェーン収容部６に対する取付性が高いため、つまり電動チェーンブロック１ａに対する駆動計測器１０の脱着が容易であるため、メンテナンスによる交換時や、レンタル品を使用する際にも対応できる。
【００８１】
また、電動チェーンブロック１の動作量による制御を行なう際に、動作量出力機能を付加した特別仕様の電動チェーンブロック１やそのための改造を必要としないため、調達時の納期、コストを圧縮することができる。
【００８２】
さらに、ロードチェーン３の動作量を検出するために、ワイヤー式変位計やその他の駆動計測器を吊り荷に着脱する必要が無く、また、チェーンブロック本体２から吊りフック４あるいは吊り荷の間の伸縮箇所に計測用ワイヤーや信号線を設置する必要が無く、揚重時の作業性を低下させることがない。
【００８３】
また、上述の複数台の電動チェーンブロック１と、電動チェーンブロック１に装着された駆動計測器１０に接続され、電動チェーンブロック１のロードチェーン３の差動を検出する演算器１１２が備えられたチェーンブロックシステム１００、及び制御装置１１０は、複数台の電動チェーンブロック１の差動を検出することができる。
【００８４】
詳述すると、複数の電動チェーンブロック１のそれぞれに装着された複数台の駆動計測器１０に演算器１１２が接続されているため、演算器１１２は駆動計測器１０の計測結果に基づいて、複数の電動チェーンブロック１におけるロードチェーン３の差動を検出することができる。
【００８５】
また、複数の電動チェーンブロック１のうちいずれかを基準電動チェーンブロック１ｘとし、演算器１１２は基準電動チェーンブロック１ｘと、他の電動チェーンブロック１との差動を検出する構成であるため、差動を検出する基準を明確に設定できるため、つまりロードチェーン３の駆動の比較対象を設定できるため、３台以上の電動チェーンブロック１が設けられたチェーンブロックシステム１００において容易に差動を検出することができる。
【００８６】
また、電動チェーンブロック１のロードシーブ５を制御する制御装置１１０は、演算器１１２が予め設定した差動量を超える差動を検出する場合、ロードシーブ５を制御して基準電動チェーンブロック１ｘと他の電動チェーンブロック１との駆動を同調させるため、複数の電動チェーンブロック１を同調させて、吊り荷を巻上・巻下することができる。
【００８７】
詳述すると、電動チェーンブロック１のロードシーブ５を制御する制御装置１１０が、演算器１１２が予め設定した差動量を超える差動を検出する場合、ロードシーブ５を制御して基準電動チェーンブロック１ｘと他の電動チェーンブロック１との駆動を同調させるため、例えば、基準電動チェーンブロック１ｘに対して移動が早く先行した電動チェーンブロック１を停止させるなど、複数の電動チェーンブロック１を同調させて、吊り荷を巻上・巻下することができる。
【００８８】
また、チェーンブロックシステム１００では、各電動チェーンブロック１の動作速度に不均一が生じても動作量を自動的に補正できるため、吊り荷を傾斜させること無く昇降させることができる。  
さらに、いずれかの電動チェーンブロック１に動作異常が検出された場合、すべての電動チェーンブロック１を即座に停止できるため、吊り荷の異常傾斜、特定の電動チェーンブロック１に負荷が集中することを防止することができる。
【００８９】
さらにまた、予めプログラム化したパターンどおりに各電動チェーンブロック１を動作させることで、吊り荷の反転作業などを、偏荷重の発生を防止しながら高精度に揚重作業を安全に行なうことができる。
【００９０】
以上、本発明の構成と、前述の実施態様との対応において、本発明の吊りフックは吊りフック４に対応し、
以下同様に、
ロードチェーンはロードチェーン３に対応し、
駆動部はロードシーブ５に対応し、
電動チェーンブロックは電動チェーンブロック１に対応し、
チェーンブロック本体はチェーンブロック本体２に対応し、
チェーン収容部はチェーン収容部６に対応し、
回転体はチェーンホイール１１に対応し、
回転計測手段はロータリーエンコーダ１２に対応し、
駆動計測器は駆動計測器１０に対応し、
差動検出手段は演算器１１２に対応し、
チェーンブロックシステムはチェーンブロックシステム１００に対応し、
基準電動チェーンブロックは基準電動チェーンブロック１ｘに対応し、
制御部及び差動検出システムは制御装置１１０に対応するも、上記実施形態に限定するものではない。
【００９１】
例えば、ロータリーエンコーダ１２で、チェーンホイール１１の回転数、回転速度、及び回転加速度のうちいずれかひとつを検出してもよいし、これらを組み合わせて検出するように構成してもよい。
【００９２】
また、電動チェーンブロック１に、インバータによる速度制御（駆動用電源の周波数制御）を付加することで起動・停止時の衝撃を低減した動作が可能になる。  
吊り荷の揚重作業用途以外では、機械、設備の構成要素として巻上げ機の代わりに組み込まれた電動チェーンブロック１の動作量検出や、それらの制御の高度化に利用することができる。
【００９３】
チェーンブロックシステム１００を構成する電動チェーンブロックとしては、駆動計測器１０がチェーンブロック本体２とチェーン収容部６との間に配置された電動チェーンブロック１を用いたが、チェーンブロックシステム１００を構成する電動チェーンブロックの全部あるいは一部が、チェーンホイール１１、ロータリーエンコーダ１２、チェーンガイド１３及び筐体１４で構成する駆動計測器１０のうち一部または筐体１４を備えない駆動計測器１０の全部がチェーンブロック本体２内部に配置された電動チェーンブロックを用いてもよい。
【符号の説明】
【００９４】
１…電動チェーンブロック
１ｘ…基準電動チェーンブロック
２…チェーンブロック本体
３…ロードチェーン
４…吊りフック
５…ロードシーブ
６…チェーン収容部
１０…駆動計測器
１１…チェーンホイール
１２…ロータリーエンコーダ
１００…チェーンブロックシステム
１１０…制御装置
１１２…演算器
【図１】
2020001876.tif 000003
【図２】
2020001876.tif 000004
【図３】
2020001876.tif 000005
【図４】
2020001876.tif 000006
【図５】
2020001876.tif 000007
【図６】
2020001876.tif 000008
【図７】
2020001876.tif 000009